(57)【要約】【課題】  小さな薬用瓶内の薬液等を使用する場合でも、指先等を傷つけることなく蓋を外すことができるとともに、その薬用瓶を密閉しているゴム栓に注射針を刺すときにも薬用瓶を使用者が安定的に支持することができる薬用瓶の蓋外し具の提供を課題とする。【解決手段】  薬用瓶１を内部に収納可能な円筒体を半分に割った半円筒体形状の本体１０の長さ方向の一端側には、突起部１１が配設されている。この突起部１１の高さは蓋４の側面側の厚み以下の高さとなっている。蓋４の下端部を突起部１１に当接させて、使用者は、一方の手Ｈ１で本体１０を握り、その親指で薬用瓶１を本体１０内でスライドさせることにより、蓋４を薬用瓶１から外す。【選択図】  図６
0003168142.tif 000002
【実用新案登録請求の範囲】
【請求項１】
瓶口がゴム栓により密閉され、前記ゴム栓が上面中央部に透孔を有する口金によって前記瓶口に固定され、当該口金の上面全部と側面の上部を覆う合成樹脂製の蓋が前記口金の透孔に係合する状態で固定されている薬用瓶の前記蓋を外す薬用瓶の蓋外し具であって、
前記薬用瓶をその内部に収納可能な円筒体を長さ方向に沿って半分に割った半円筒体状の本体であってその長さが前記薬用瓶の高さ以上の長さである本体と、
該本体の長さ方向の一端側の中央部に前記本体の内側に突出するように配設された突起部であってその高さが前記薬用瓶の瓶口を覆う前記蓋の側面部の厚み以下の高さである突起部とを具備することを特徴とする薬用瓶の蓋外し具。
【請求項２】
前記本体に装着された前記薬用瓶の瓶口が、前記突起部を有する前記本体の一端側に位置するように前記薬用瓶の底面部を付勢するバネ部材が前記本体に配設されていることを特徴とする請求項１に記載の薬用瓶の蓋外し具。
【請求項３】
前記突起部は、直方体の形状であることを特徴とする請求項１または請求項２に記載の薬用瓶の蓋外し具。
【請求項４】
前記突起部は、前記本体の長さ方向の一端側の端部方向に最も高さが高い頂点が位置する三角錐の形状であることを特徴とする請求項１または請求項２に記載の薬用瓶の蓋外し具。
【考案の詳細な説明】
【技術分野】
【０００１】
本考案は、医療現場等で用いられる薬用瓶の蓋を容易に外すことができる薬用瓶の蓋外し具に関するものである。
【背景技術】
【０００２】
図１２は、従来から医療現場等で用いられている薬用瓶１の構成を示したものである。
【０００３】
図１２に示したように、薬液Ｍ等を収納した薬用瓶１の瓶口はゴム栓２によって密閉されており、そのゴム栓２は口金３によって瓶口に固定されている。口金３は、中央部にゴム栓２を露出させるための透孔３ｂを有する円盤状の頂面板３ａと、この頂面板３ａの周縁部に連設されている円筒状の周胴部３ｃとから構成されており、周胴部３ｃの下端部は、薬用瓶１の瓶口に形成されている鍔部に巻き締め固定されている。
【０００４】
薬用瓶１内の薬液Ｍは、ゴム栓２に注射器Ｐの注射針Ｎを刺すことによって、注射器Ｐ内に移動させることができる。
【０００５】
４は、薬用瓶１の蓋である。この蓋４は一般に合成樹脂によって構成されている。蓋４は、頂面板４ａと周胴部４ｃからなり、口金３の上面全体と側面の上部を覆うような形状に形成されている。頂面板４ａの裏面側には、係止環部４ｂが突設されている。この係止環部４ｂは、口金３の透孔３ｂの周縁部と係合するものである。この係合環部４ｂによって、蓋４は図１３に示すように口金３の上部に固定されている。
【０００６】
従って、薬液Ｍの使用に際しては図１４に示したように、使用者は一方の手Ｈ１で薬用瓶１を支持して、他方の手Ｈ２で蓋４を外す。その後、図１５に示したように他方の手Ｈ２で注射器Ｐを持ち、注射針Ｎをゴム栓に刺して薬液Ｍを注射器Ｐに適量移動させて使用する。
【考案の概要】
【考案が解決しようとする課題】
【０００７】
以上説明した薬用瓶１内の薬液Ｍ等を実際に使用する場合に際しては、従来、以下のような問題点があった。
【０００８】
即ち、小さな薬用瓶１内の薬液Ｍ等を使用する場合、使用者は、図１４に示したように小さな薬用瓶１を一方の手Ｈ１の指先で摘んで支持し、その小さな蓋４を他方の手Ｈ２の指の先端部で外さなければならない。このとき、他方の手Ｈ２の指の先端部と蓋４の下端縁との接触面積が小さいために、指先が滑り易くて外しにくい上、指先が滑ってしまったときには指先や爪が蓋４によって傷ついてしまうことがあった。
【０００９】
さらに、蓋４を外して図１５に示したように露出している小さな面積のゴム栓２に注射針Ｎを刺すときにも、小さな薬用瓶１が一方の手Ｈ１の指先のみで支持されているため、小さな薬用瓶１が不安定で動き易く注射針Ｎが刺しにくいという問題点もあった。
【課題を解決するための手段】
【００１０】
以上の問題点を解消するために、本考案は瓶口がゴム栓により密閉され、前記ゴム栓が上面中央部に透孔を有する口金によって前記瓶口に固定され、当該口金の上面全部と側面の上部を覆う合成樹脂製の蓋が前記口金の透孔に係合する状態で固定されている薬用瓶の前記蓋を外す薬用瓶の蓋外し具であって、前記薬用瓶をその内部に収納可能な円筒体を長さ方向に沿って半分に割った半円筒体状の本体であってその長さが前記薬用瓶の高さ以上の長さである本体と、該本体の長さ方向の一端側の中央部に前記本体の内側に突出するように配設された突起部であってその高さが前記薬用瓶の瓶口を覆う前記蓋の側面部の厚み以下の高さである突起部とを具備することを特徴とするものである。
【００１１】
ここで、前記本体に装着された前記薬用瓶の瓶口が、前記突起部を有する前記本体の一端側に位置するように前記薬用瓶の底面部を付勢するバネ部材が前記本体に配設されていてもよい。
【００１２】
さらに前記突起部は、直方体の形状であってもよいし、前記突起部は、前記本体の長さ方向の一端側の端部方向に最も高さが高い頂点が位置する三角錐の形状であってもよい。
【考案の効果】
【００１３】
本考案によれば、小さな薬用瓶内の薬液等を使用する場合でも、指先等を傷つけることなく蓋を外すことができるとともに、その薬用瓶を密閉しているゴム栓に注射針を刺すときにも薬用瓶を使用者が安定的に支持することができる。
【図面の簡単な説明】
【００１４】
【図１】本考案の実施例１の構成を示す斜視図である。
【図２】本考案の実施例１の構成の説明図である。
【図３】本考案の実施例１の構成の説明図である。
【図４】本考案の実施例１の構成の説明図である。
【図５】本考案の実施例１の使用方法の説明図である。
【図６】本考案の実施例１の使用方法の説明図である。
【図７】本考案の実施例１の使用方法の説明図である。
【図８】本考案の実施例１の使用方法の説明図である。
【図９】本考案の実施例１の構成の説明図である。
【図１０】本考案の実施例１の構成の説明図である。
【図１１】本考案の実施例２の構成を示す斜視図である。
【図１２】従来の薬用瓶の構成を示す斜視図である。
【図１３】従来の薬用瓶の構成を示す斜視図である。
【図１４】従来の薬用瓶の使用方法の説明図である。
【図１５】従来の薬用瓶の使用方法の説明図である。
【考案を実施するための形態】
【００１５】
以下、図面を用いて本考案の実施例について説明する。
【実施例１】
【００１６】
図１は、本考案の実施例１の構成を示す斜視図であり、図２は本実施例１に蓋４を外すために薬用瓶１をセットした状態を示す斜視図である。
【００１７】
本実施例１は、図１に示すように本体１０と突起部１１とにより構成されている。
【００１８】
本体１０は、図２に示すように、薬用瓶１を内部に収納することができる円筒体を、その長さ方向に沿って半分に割った半円筒体形状に構成されており、その長さは薬用瓶１の高さ以上の長さとなるように選ばれている。
【００１９】
ここで、図１に示す突起部１１について、図３，図４を用いて説明する。
【００２０】
図３（ａ）は図２の縦断面図を示したものであり、図３（ｂ）は蓋４側方向から見た側面図、図３（ｃ）は図３（ａ）のＡ−Ａ断面図を示したものである。また、図４（ａ）は図２の縦断面図を示したものであり、図４（ｂ）は蓋４側方向から見た側面図、図４（ｃ）は図４（ａ）のＢ−Ｂ断面図を示したものである。
【００２１】
図１に示したように、突起部１１は、本体１０の長さ方向の一端側の中央部に本体１０の内側に突出するように配設された直方体の形状の突起物である。その突起部１１の高さは、図３（ｃ），図４（ｃ）に示したように、薬用瓶１の瓶口を覆う蓋４の側面を形成する周胴部４Ｃの厚み以下の高さとなるように選ばれている。
【００２２】
次に、以上のように構成された本実施例１の使用法について説明する。
【００２３】
先ず、図５に示すように、使用者は、突起部の上に口金３が位置するように（図３（ａ），図４（ａ）の状態となるように）、本体１０に薬用瓶１０をセットし、本体１０を一方の手Ｈ１の手の平全体で握り、その握った手の親指で薬用瓶１を蓋４とは反対の方向にスライドさせる。このようにスライドさせると、図６に示したように、一端が突起部１１によって係止された蓋４がてこの原理によって口金３から簡単に外れる。
【００２４】
次に、使用者は、外れた蓋を廃棄して、図７に示すように、薬用瓶１をスライドさせて元の位置に戻して、この薬用瓶１を親指でしっかり押える。この状態で、図８に示したように他方の手Ｈ２で持った注射器Ｐの注射針Ｎを薬用瓶１のゴム栓に刺すようにすれば、一方の手Ｈ１の手の平全体でしっかりと握られた安定した状態の薬用瓶１のゴム栓に使用者は注射針Ｎを刺すことができる。
【００２５】
ここで、突起部１１の位置については、本体１０の長さ方向の一端側に位置していれば、本考案の効果を得ることができる。すなわち、図９（ａ）に示したように本体１０の長さ方向の一端側付近に位置させてもよく、また、図９（ｂ）に示したように本体１０の長さ方向の一端側の端部に位置させてもよい。
【００２６】
さらに、突起部１１の形状については直方体に限られるものではなく、図１０（ａ），（ｂ）に示したように、端部側に最も高さが高い頂点が位置するような三角錐の形状であってもよい。このような三角錐の形状にした場合には、蓋４の端部と三角錐の突起部１１の一辺とが線接触することになる。
【実施例２】
【００２７】
図１１（ａ）は本考案の実施例２の構成を示す斜視図である。本実施例２は実施例１の構成に加えて、薬用瓶１の底面部を付勢するバネ部材１２が配設されている。このバネ部材１２は、力を加えない定常長の長さのとき、薬用瓶１の瓶口の位置が本体１０の端部に位置するような長さに選ばれている。
【００２８】
このバネ部材の一端は固定部材１３を介して本体１０に固定されており、その自由端は薬用瓶１の底面部を付勢する押圧板１４に固定されている。押圧板１４の両側部には突片１４ａが形成されており、この突片１４ａは、本体１０にその長さ方向に沿って設けられたガイド溝１０ａに係合している。
【００２９】
以上のように構成された本実施例２においては、先の実施例１の使用法と同様にして、図１１（ｂ）に示したように薬用瓶１の蓋４を外すことができる。
【００３０】
このように蓋４が外れた状態で、使用者が薬用瓶１に加えていた力を緩めると、図１１（ｃ）に示したようにバネ部材１２の弾性力によって薬用瓶１は元の位置に自動的に戻り、使用者はすぐに注射針を刺す動作に移ることができる。
【符号の説明】
【００３１】
１  薬用瓶
２  ゴム栓
３  口金
３ａ，４ａ  頂面板
３ｂ  透孔
３ｃ，４ｃ  周胴部
４  蓋
４ｂ  係止環部
１０  本体
１０ａ  ガイド溝
１１  突起部
１２  バネ部材
１３  固定部材
１４  押圧板
１４ａ  突片
Ｈ１，Ｈ２  使用者の手
Ｍ  薬液
Ｎ  注射針
Ｐ  注射器
【図１】
0003168142.tif 000003
【図２】
0003168142.tif 000004
【図３】
0003168142.tif 000005
【図４】
0003168142.tif 000006
【図５】
0003168142.tif 000007
【図６】
0003168142.tif 000008
【図７】
0003168142.tif 000009
【図８】
0003168142.tif 000010
【図９】
0003168142.tif 000011
【図１０】
0003168142.tif 000012
【図１１】
0003168142.tif 000013
【図１２】
0003168142.tif 000014
【図１３】
0003168142.tif 000015
【図１４】
0003168142.tif 000016
【図１５】
0003168142.tif 000017